(57)【要約】【課題】注射針を目標とする深さに穿刺することができる注射針用穿刺調整具およびそれを備えた注射針組立体を提供する。特に、予防接種などで小児へワクチン等を皮下に注射する際に、苦痛を与えることなく安全に行う。【解決手段】注射針ハブ４を有する注射針組立体１において、注射針ハブ４に設けられた筒体であって、注射針３と同軸方向に延び、注射針３をその内部に有し、かつ一端が注射針ハブ４に固定され、他端から注射針３の針先が突出した注射針用穿刺調整具２を備えた注射針組立体１。【選択図】  図１
2008110260.tif 000002
【特許請求の範囲】
【請求項１】
注射針および注射針ハブを有する注射針組立体において、
前記注射針ハブに設けられた筒体であって、前記注射針と同軸方向に延び、前記注射針をその内部に有し、かつ一端が前記注射針ハブに固定され、他端から前記注射針の針先が突出した注射針用穿刺調整具を備えた注射針組立体。
【請求項２】
皮膚に対し垂直に前記注射針を穿刺し、前記注射針用穿刺調整具の一端が表皮に達したときの穿刺深さが０．１〜５ｍｍである請求項１に記載の注射針組立体。
【発明の詳細な説明】
【技術分野】
【０００１】
本発明は、目標とする深さより深く穿刺することを防ぐ注射針用穿刺調整具およびそれを備えた注射針組立体に関する。
【背景技術】
【０００２】
ワクチン等を投与する予防接種の多くは皮下注射により行われるが、小児はじっとせずに動き、また皮膚が柔らかいため、大人に使用する通常の長さの注射針を穿刺する際に目標とする深さで止めることが難しく、目標とする深さより深く穿刺し筋肉注射になり苦痛を与えるおそれがある。また、研究や実験に使用する小動物や魚等に薬剤を投与する際に通常の注射針を使用すると長すぎ、また小動物や魚等は小さくかつ動きまわるため、深く刺してしまい臓器等を傷付けるおそれがある。
【０００３】
そこで、これらの問題点を解消するべく、注射針を単純に短くしハブに固定した注射針組立体が考えられるが、通常の注射針は先端の刃面を有する部位の長さだけでも２ｍｍ前後あるため、注射針のハブに固定されない部分が数ｍｍの長さの注射針組立体を作製すると、注射針とハブの接着面からはみ出た接着剤が注射針の先端まで達して開口部から注射針内へ侵入するおそれがある。また、先端の刃面を有する部位が短い注射針を作製すると先端が尖っていない注射針となり、穿刺する際に苦痛を伴うか穿刺できない注射針となってしまう。
【発明の開示】
【発明が解決しようとする課題】
【０００４】
本発明は上述した従来の技術の問題点を鑑みて、注射針が、小児への予防接種時に確実に皮下に穿刺しそれ以上深く刺さらず、研究や実験に使用する小動物や魚等に穿刺しても必要以上深く刺さらず、その他の穿刺の際にも必要以上深く刺さらずに使用できるための注射針用穿刺調整具、およびそれを備えた注射針組立体を提供することにある。
【課題を解決するための手段】
【０００５】
上記課題は、以下の本発明によって解決される。
（１）本発明は、注射針ハブまたは注射針のいずれかに設けられ、表皮に当接させることにより、当該注射針を穿刺する深さを目標とする深さに調整することができる注射針用穿刺調整具である。
（２）本発明は、筒体であって、前記注射針と同軸方向に延び、前記注射針をその内部に有し、かつ一端が前記注射針ハブに固定されることを特徴とする上記（１）に記載の注射針用穿刺調整具である。
（３）上記（２）に記載の筒体の注射針用穿刺調整具であって、当該注射針用穿刺調整具の他端から前記注射針の針先が突出することを特徴とする注射針用穿刺調整具である。
（４）上記（２）に記載の筒体の注射針用穿刺調整具であって、当該注射針用穿刺調整具の他端から前記皮下注射針の針先が突出しないことを特徴とする注射針用穿刺調整具である。
（５）注射針ハブまたは注射針のいずれかに設けられ、表皮に当接させることにより、当該注射針を穿刺する深さを目標とする深さに調整することができる注射針用穿刺調整具を備えた注射針組立体である。
（６）筒体であって、前記皮下注射針と同軸方向に延び、前記皮下注射針をその内部に有し、かつ一端が前記注射針ハブに固定された注射針用穿刺調整具を有する上記（５）に記載の注射針用穿刺調整具を備えた注射針組立体である。
（７）上記（６）に記載の注射針用穿刺調整具を備えた注射針組立体であって、当該注射針用穿刺調整具の他端から前記注射針の針先が突出することを特徴とする注射針用穿刺調整具を備えた注射針組立体である。
（８）上記（６）に記載の注射針用穿刺調整具を備えた注射針組立体であって、当該注射針用穿刺調整具の他端から前記皮射針の針先が突出しないことを特徴とする注射針用穿刺調整具を備えた注射針組立体である。
【発明の効果】
【０００６】
本発明の注射針用穿刺調整具およびそれを備えた注射針組立体により、注射針を目標とする深さに穿刺することができる。特に、本発明の注射針用穿刺調整具およびそれを備えた注射針組立体を、小児へワクチン等を皮下に注射する予防接種時に使用すると、確実に皮下に穿刺し、それ以上深く刺さらないため筋肉等まで達することがなく、苦痛を与えることなく安全に予防接を行うことができるため有効である。また、研究や実験に使用する小動物や魚等に穿刺しても必要以上深く刺さらず、臓器等を傷めることがないため正確な研究結果や実験結果を得ることができるため有効である。
【発明を実施するための最良の形態】
【０００７】
以下、図面を参照しながら本発明について説明する。
【０００８】
［１］図１は本発明の実施の形態の一例である注射針組立体１および注射針用穿刺調整具２を示す部分断面図である。注射針組立体１は、注射針用穿刺調整具２、注射針３およびハブ４から構成される。本実施の形態において注射針用穿刺調整具２の形状は外観図である図２に示すとおりの円筒状であるが、特に限定されず、断面形状が三角形、四角形、その他多角形の筒体であってもよく、また部分的に断面形状が変化し、その一部がいずれかの形状となるものでもよい。また、一方の端に向かって径が小さくなる形状等であってもよい。さらに、蛇腹状構造体、伸縮可能な多管構造体などの伸縮可能なものであってもよい。
【０００９】
注射針組立体１において、注射針用穿刺調整具２の長さは接続部５で固定された状態で注射針３の先端が注射針用穿刺調整具２から突出できる長さを有する。注射針用穿刺調整具２が、上述する蛇腹状構造体、伸縮可能な多管構造体などの場合は、使用前に注射針３の先端が注射針用穿刺調整具２から突出できる長さに調整して使用すればよい。なお、注射針用穿刺調整具２の具体的な長さは、使用目的によって、穿刺する深さを考慮して選択できるが、穿刺する深さを比較的浅めに設定する場合は、後述する別の実施の形態の注射針組立体１１および注射針用穿刺調整具１２を用いることが望ましい。また、ハブと接合する場合には一端にテーパー部２１を設けることが望ましい。
【００１０】
注射針用穿刺調整具２の材質は特に限定しないが、注射針を確認できる程度の透明性を有するプラスチック樹脂が望ましく、例えば、ポリエチレン、ポリプロピレンなどのポリオレフィン、ポリスチレン、ポリカーボネート、ポリメチルペンテン、メタクリル樹脂、塩化ビニル樹脂、ポリエチレンテレフタレートなどのポリエステル樹脂など、およびこれらの混合物が使用できる。高圧蒸気滅菌、ＥＯＧ滅菌、ガンマー線滅菌などの各種滅菌に耐えることができるものが望ましい。
【００１１】
注射針３およびハブ４は、市販されているものでよく、シリンジなど注射装置に接続可能なものであれば特に限定しない。注射針用穿刺調整具２とハブ４は、注射針用穿刺調整具２を別体として使用前に接続部５にて嵌め込んで固定するものでも、予め注射針用穿刺調整具２とハブ４を接続部５にて接着、融着により固定させたものであってもよい。
【００１２】
次に、注射針組立体１および注射針用穿刺調整具２の使用方法について説明する。図３の部分断面図に示すように、皮膚に対しほぼ垂直に注射針３を穿刺し、注射針用穿刺調整具２の一端が表皮に達するまで刺し込む。注射針用穿刺調整具２の一端が表皮に達した位置が目標とする穿刺の深さとなる。穿刺する深さは場合によってことなるが、０.１〜５ｍｍである。その後、ハブ４に接続したシリンジ等の注射装置（図示しない）により薬剤等を注入する。
【００１３】
［２］図４は本発明の実施の形態の一例である注射針組立体１１および注射針用穿刺調整具１２を示す部分断面図である。注射針組立体１１は、注射針用穿刺調整具１２、注射針１３およびハブ１４から構成される。本実施の形態において注射針用穿刺調整具１２の形状は、上述した実施の形態の注射針用穿刺調整具２と同様な形状である。
【００１４】
注射針組立体１１において、注射針用穿刺調整具１２の長さは接続部１５で固定された状態で注射針１３の先端が注射針用穿刺調整具２から突出しない長さを有する。注射針用穿刺調整具１２が、蛇腹状構造体、釣竿のような多管構造体などの場合は、使用前に注射針１３の先端が注射針用穿刺調整具１２から突出しない長さに調整して使用すればよい。なお、注射針用穿刺調整具１２の具体的な長さは、使用目的によって、穿刺する深さを考慮して選択できるが、穿刺する深さを比較的深めに設定する場合は、上述した実施の形態の注射針組立体１および注射針用穿刺調整具２を用いることが望ましい。
【００１５】
注射針用穿刺調整具１２の材質、注射針１３およびハブ１４は、上述した実施の形態の注射針用穿刺調整具２の材質、注射針３およびハブ４と同様でよく、接続部１５の固定方法も上述した実施の形態の接続部５と同様でよい。
【００１６】
次に、注射針組立体１１および注射針用穿刺調整具１２の使用方法について説明する。図５の部分断面図に示すように、皮膚に対しほぼ垂直に注射針用穿刺調整具１２を強く当てると、注射針用穿刺調整具１２に接していない部分の表皮が山状に膨らみ注射針１３に刺さる。山状に膨らんだ表皮の高さの位置が目標とする穿刺の深さとなる。穿刺する深さは場合によってことなるが、０.０５〜３ｍｍである。その後、ハブ１４に接続したシリンジ等の注射装置（図示しない）により薬剤等を注入する。
【００１７】
［３］図６は本発明の実施の形態の一例である注射針組立体２１および注射針用穿刺調整具２２ａを示す外観図である。注射針組立体２１は、注射針用穿刺調整具２２ａ、注射針２３およびハブ２４から構成される。本実施の形態において注射針用穿刺調整具２２ａの形状は、外観図である図７に示すように円盤状であるが、特に限定されず、三角形、四角形、その他多角形の板体であってもよく、また、ハブ２４から所定の位置まで延びる長さを有する筒体であってもよい。さらには、図８に示すようなクリップ状のもの（注射針用穿刺調整具２２ｂ）や、洗濯挟み状のものでよい。
【００１８】
注射針用穿刺調整具２２ａには注射針２３を通すための孔２５ａが設けられる。孔２５の径は注射針２３の径と同径か、注射針用穿刺調整具２２ａが柔軟性を有する材料から構成される場合は小さい径でもよい。注射針用穿刺調整具２２ａの位置は、使用目的によって、穿刺する深さを考慮して、注射針２３の先端が突出する位置に設ければよい。
【００１９】
注射針用穿刺調整具２２ｂには注射針２３を通すための溝２５ｂとそれを介して注射針２３が嵌め込まれる孔２５ｃが設けられる。孔２５ｃの径は注射針２３の径と同径か、注射針用穿刺調整具２２ｂが柔軟性を有する材料から構成される場合は小さい径でもよい。溝２５ｂは注射針２３を孔２５ｃに嵌め込む際に注射針２３が通れる範囲で開けるものであればよい。注射針用穿刺調整具２２ｂの位置は、使用目的によって、穿刺する深さを考慮して、注射針２３の先端が突出する位置に設ければよい。
【００２０】
注射針用穿刺調整具２２ａおよび２２ｂの材質は特に限定する必要はなく、硬質のもの、軟質のものを適選使用できる。硬質のものとしては、金属や硬質のプラスチック樹脂があげられ、硬質のプラスチック樹脂としては、例えば、ポリエチレン、ポリプロピレンなどのポリオレフィン、ポリスチレン、ポリカーボネート、ポリメチルペンテン、メタクリル樹脂、塩化ビニル樹脂、ポリエチレンテレフタレートなどのポリエステル樹脂など、およびこれらの混合物が使用できる。また、軟質のものとしては、例えば、天然ゴム、ブチルゴム、イソプレンゴム、ブタジエンゴム、スチレン−ブタジエンゴム、シリコ−ンゴムのような各種ゴム材料（特に加硫処理したもの）や、ポリウレタン系、ポリエステル系、ポリアミド系、オレフィン系、スチレン系等の各種エラストマー、あるいはそれらの混合物等などのシリンジのガスケットとして使用できるものがあげられる。いずれにおいても、高圧蒸気滅菌、ＥＯＧ滅菌、ガンマー線滅菌などの各種滅菌に耐えることができるものが望ましい。
【００２１】
注射針２３およびハブ２４は、市販されているものでよく、シリンジなど注射装置に接続可能なものであれば特に限定しない。注射針用穿刺調整具２２ａと注射針２３は、注射針用穿刺調整具２２ａを別体として使用前に孔２５ａに注射針２３を通してもよく、予め注射針用穿刺調整具２２ａと注射針２３を接着、融着により固定させたものであってもよく、さらに注射針用穿刺調整具２２ａが金属である場合には注射針２３と一体成形してもよい。注射針用穿刺調整具２２ｂと注射針２３は、注射針用穿刺調整具２２ｂを別体として使用前、溝２５ｂを介して孔２５ｃに注射針２３を嵌め込んでもよく、予め注射針用穿刺調整具２２ｂに注射針２３を上述した方法によって嵌め込んだ後に接着、融着により固定させたものであってもよい。なお、注射針用穿刺調整具２２ａおよび２２ｂを別体として用いる場合には、注射針２３との接触面は上述した軟質の材料で構成されることが、ズレ防止のため望ましい。
【００２２】
次に、注射針組立体２１および注射針用穿刺調整具２２ａおよび２２ｂの使用方法について説明する。皮膚に対しほぼ垂直に注射針２３を穿刺し、注射針用穿刺調整具２２ａおよび２２ｂの一端が表皮に達するまで刺し込む。注射針用穿刺調整具２２の一端が表皮に達した位置が目標とする穿刺の深さとなる。その後、ハブ２４に接続したシリンジ等の注射装置（図示しない）により薬剤等を注入する。
【図面の簡単な説明】
【００２３】
【図１】本発明の実施の形態の一例である注射針組立体１および注射針用穿刺調整具２を示す部分断面図である。
【図２】注射針用穿刺調整具２の外観図である。
【図３】注射針組立体１および注射針用穿刺調整具２の使用形態を示す部分断面図である。
【図４】本発明の実施の形態の一例である注射針組立体１１および注射針用穿刺調整具１２を示す部分断面図である。
【図５】注射針組立体１１および注射針用穿刺調整具１２の使用形態を示す部分断面図である。
【図６】本発明の実施の形態の一例である注射針組立体２１および注射針用穿刺調整具２２を示す外観図である。
【図７】注射針用穿刺調整具２２ａの外観図である。
【図８】注射針用穿刺調整具２２ｂの外観図である。
【符号の説明】
【００２４】
１，１１，２１・・・注射針組立体
２，１２，２２・・・注射針用穿刺調整具
２１・・・テーパー部
３，１３，２３・・・注射針
４，１４，２４・・・ハブ
５．１５・・・接続部
２５ａ，２５ｃ・・・孔
２５ｂ・・・溝
【図１】
2008110260.tif 000003
【図２】
2008110260.tif 000004
【図３】
2008110260.tif 000005
【図４】
2008110260.tif 000006
【図５】
2008110260.tif 000007
【図６】
2008110260.tif 000008
【図７】
2008110260.tif 000009
【図８】
2008110260.tif 000010